(57)【要約】【課題】開閉扉枠を閉めるとき誤って操作部材に触っても該操作部材が作動し得ないようにして開閉扉枠の面倒な二度閉めや球抜き装置または打球供給装置が破損するのを防止するようにした遊技機を提供する。【解決手段】球受皿８及び球抜き装置１９を備えた透明板保持枠５が遊技機本体Ｐ１の前面に開閉自在に軸着され、遊技機本体Ｐ１に球受皿８から供給される遊技球を打球発射部４７へ一個ずつ供給する打球供給装置４１が設けられ、球抜き装置１９の操作部材２１を作動させ打球供給装置４１に設けられた球抜き板６２を操作して球受皿８の遊技球の球抜きを行うようにした遊技機Ｐであって、開閉扉枠５を開けたとき操作制御部材３４が通口３３を塞ぐと共に可動部材２２ｂと対峙して該可動部材２２ｂの作動を不可能にするロック位置に有り、球抜き装置１９の操作部材２１を作動させようとしても、可動部材２２が操作制御部材３４に支えて操作部材２１が動かないようにした。【選択図】図５
2008006106.tif 000002
【特許請求の範囲】
【請求項１】
遊技機本体と、前記遊技機本体の前面に開閉自在に軸着されると共に打球発射部へ供給される遊技球を貯留する球受皿が装着される開閉扉枠と、前記開閉扉枠に設けられ前記球受皿の遊技球を球抜きする球抜き装置と、前記遊技機本体の前面に設けられ前記球受皿から前記開閉扉枠に設けられた通口を介して供給される遊技球を前記打球発射部へ一個ずつ供給する打球供給装置とを備え、前記球抜き装置は操作部材と該操作部材の作動により往復動作し得る可動部材とからなり、前記打球供給装置に前記通口と連なる供給樋の球抜き口に配置され弾発手段により常に該球抜き口を塞ぐように付勢される球抜き板を設け、前記球抜き板は前記操作部材の作動により前記可動部材と連係すると共に移動して前記球抜き口を開放するようにした遊技機であって、
前記開閉扉枠に弾発手段により常に前記可動部材の作動が不可能になるロック位置側へ付勢される操作制御部材を配置し、前記操作制御部材または遊技機本体のいずれか一方に前記開閉扉枠を閉じるとき前記操作制御部材または遊技機本体のいずれか他方に摺接して前記操作制御部材を前記可動部材の作動が可能になる解除位置へ移動させる突状部を突設し、前記開閉扉枠を開けたとき前記突状部の接触が解かれ前記操作制御部材がその付勢により前記ロック位置へ移動して前記可動部材が動作し得ないようにしたことを特徴とする遊技機。
【請求項２】
遊技機本体と、前記遊技機本体の前面に開閉自在に軸着されると共に遊技球を貯留する球受皿が装着される開閉扉枠と、前記開閉扉枠に設けられ前記球受皿の遊技球を球抜きする球抜き装置と、前記遊技機本体の前面に設けられ前記球受皿から前記開閉扉枠に設けられた通口を介して供給される遊技球を取り込む球計数排出装置とを備え、前記球抜き装置は操作部材と該操作部材の作動により往復動作し得る可動部材とからなり、前記球計数排出装置に前記通口と連なる供給樋の球抜き口に配置され弾発手段により常に該球抜き口を塞ぐように付勢される球抜き板を設け、前記球抜き板は前記操作部材の作動により前記可動部材と連係すると共に移動して前記球抜き口を開放するようにした遊技機であって、
前記開閉扉枠に弾発手段により常に前記可動部材の作動が不可能になるロック位置側へ付勢される操作制御部材を配置し、前記操作制御部材または遊技機本体のいずれか一方に前記開閉扉枠を閉じるとき前記操作制御部材または遊技機本体のいずれか他方に摺接して前記操作制御部材を前記可動部材の作動が可能になる解除位置へ移動させる突状部を突設し、前記開閉扉枠を開けたとき前記突状部の接触が解かれ前記操作制御部材がその付勢により前記ロック位置へ移動して前記可動部材が動作し得ないようにしたことを特徴とする遊技機。
【請求項３】
前記操作制御部材は、弾発手段により常に前記通口を塞ぐように付勢されかつ前記開閉扉枠を開けたとき前記通口から無用に遊技球が零れるのを防ぐ閉鎖部材と兼用される請求項１又は２記載の遊技機。
【請求項４】
前記操作制御部材は、弾発手段により常に前記通口を塞ぐように付勢されかつ前記開閉扉枠を開けたとき前記通口から無用に遊技球が零れるのを防ぐ閉鎖部材と兼用され、また、前記操作制御部材は前記可動部材の摺動方向に沿って対向位置し、前記可動部材の一側角部に前記操作制御部材の先端部が当接し得る衝止部を設けると共に該可動部材の摺動方向における該衝止部の内側に下方へ傾斜する傾斜縁部を成形し、前記衝止部と対向する前記操作制御部材の先端部には前記衝止部が当接し得る受止片を突設し、前記操作部材を作動させてから前記開閉扉枠を開けたとき、前記受止片が前記衝止部の内側に成形される逃し空間部に入り前記操作制御部材が前記通口を塞ぐ位置に移動することができるようにした請求項１又は２記載の遊技機。
【発明の詳細な説明】
【技術分野】
【０００１】
本発明は、遊技機本体の前面に球受皿が装着される開閉扉枠を開閉自在に軸着し、開閉扉枠に設けられる球抜き装置を作動させ遊技機本体側に設けられた球抜き板を操作することにより、前記球受皿に貯留される遊技球の球抜きを行うようにした遊技機に関するものである。
【背景技術】
【０００２】
従来、遊技機の一種でありこの種のパチンコ機として、本出願人は次のような構成のパチンコ機を案出した。すなわち、該パチンコ機は、遊技盤が配設された遊技機本体の前面に該遊技盤を覆う透明板保持枠が開閉自在に軸着され、その下方に前板が同じく開閉自在に軸着されている。該前板の前面に、打球発射部へ供給される遊技球を貯留する球受皿が装着される。
【０００３】
そして、前記遊技機本体の前面に、発射レールが取着されると共にその一側に該発射レールの打球発射部に位置する遊技球を打球する打球発射装置が装着され、打球発射部の前側には打球供給装置が配置される。該打球供給装置は、ケース体からなり打球力調整ハンドルの回動動作に伴い往復回動して遊技球を打球発射部に送り出す球送り部材が内装される。更に詳しくは、前記ケース体の前面に導入口が開設されると共に内部に該導入口と連通する供給路が設けられ、該供給路の流下端に球送り部材が配置される。また、ケース体における球送り部材の後側に、該球送り部材から送り出される遊技球を打球発射部へ供給する供給口が開設される。球送り部材は、前後方向に伸びる回動支軸により軸支されると共に前側に歯車が設けられている。この歯車は上部が外部に露出している。
【０００４】
一方、前記前板の一側に、前記ケース体の導入口と連通し球受皿の遊技球を前記ケース体内に供給するための通孔が開設されている。また、球受皿の同側に球抜き装置が設けられる。該球抜き装置は、球受皿の上面から上方へ突出し自在に傾動し得る操作部材と、同じく自在に傾動し得るレバー部材とからなる。そして、前記操作部材はスプリングにより一方へ付勢されるレバー部材と連係し、レバー部材には前記球送り部材の歯車と噛合し得るギア片と通口を開閉し得る閉鎖片とが設けられている。
【０００５】
そこで、遊技機本体の前面に透明板保持枠および前板を閉じた状態では、通口が開放されており、球受皿に貯留される遊技球が通口を介して打球供給装置内に供給される。そして、打球力調整ハンドルを操作することにより、前記打球供給装置内の遊技球が球送り部材により一個ずつ打球発射部へ供給され、該各遊技球が打球発射装置により打球されて遊技盤面に打ち込まれることになる。
【０００６】
また、前板が閉じている状態では、球抜き装置におけるレバー部材のギア片はスプリングの付勢により球送り部材の歯車との係合が解かれており、しかも通口は開放されている。この状態で、球受皿に貯留される遊技球の球抜きをすべく操作部材を作動させると、レバー部材がその付勢に抗して回動しギア片が歯車と噛合し、これにより該歯車が回動すると共に球送り部材が回動して球抜きできるようになっている。更に、例えば発射レールの打球発射部でトラブルが発生し、そのトラブルを解消すべく前板を開けたとき、レバー部材がその付勢により傾動してその閉鎖片により通口を塞ぎ、該通口からの無用な球零れを防ぐようにしている（例えば、特許文献１参照。）。
【０００７】
【特許文献１】特開２００１−１１２９４３号公報（第２−４頁、図１−１３）
【発明の開示】
【発明が解決しようとする課題】
【０００８】
ところで、前記特許文献１のパチンコ機にあっては、例えば前記のように発射レールの打球発射部でトラブルが発生し、前板を開けてそのトラブルを解消した後に前板を閉じるとき、誤って操作部材を押してしまった場合、レバー部材が傾動してギア片が本来の球送り部材の歯車と噛合している位置に移動してしまい、前記ギア片と歯車とが正規でない位置で噛み合いを起こし、レバー部材による球送り動作が不能になる危険性がある。このため、再度前板を閉め直さねばならないが、ともすると当たり所が悪くレバー部材または歯車が破損してしまう危険性もあるという課題があった。
【０００９】
そこで、本発明は前記課題に鑑みてなされたもので、開閉扉枠を開けたとき操作制御部材を可動部材の作動が不可能になるロック位置へ移動させ、該開閉扉枠を閉じるとき誤って操作部材に触っても該操作部材が作動し得ないようにして、開閉扉枠の面倒な二度閉めや球抜き装置または打球供給装置が破損するのを防止するようにした遊技機を提供することを目的とするものである。
【課題を解決するための手段】
【００１０】
かかる目的を達成するため本発明の遊技機は、遊技機本体と、前記遊技機本体の前面に開閉自在に軸着されると共に打球発射部へ供給される遊技球を貯留する球受皿が装着される開閉扉枠と、前記開閉扉枠に設けられ前記球受皿の遊技球を球抜きする球抜き装置と、前記遊技機本体の前面に設けられ前記球受皿から前記開閉扉枠に設けられた通口を介して供給される遊技球を前記打球発射部へ一個ずつ供給する打球供給装置とを備え、前記球抜き装置は操作部材と該操作部材の作動により往復動作し得る可動部材とからなり、前記打球供給装置に前記通口と連なる供給樋の球抜き口に配置され弾発手段により常に該球抜き口を塞ぐように付勢される球抜き板を設け、前記球抜き板は前記操作部材の作動により前記可動部材と連係すると共に移動して前記球抜き口を開放するようにした遊技機であって、前記開閉扉枠に弾発手段により常に前記可動部材の作動が不可能になるロック位置側へ付勢される操作制御部材を配置し、前記操作制御部材または遊技機本体のいずれか一方に前記開閉扉枠を閉じるとき前記操作制御部材または遊技機本体のいずれか他方に摺接して前記操作制御部材を前記可動部材の作動が可能になる解除位置へ移動させる突状部を突設し、前記開閉扉枠を開けたとき前記突状部の接触が解かれ前記操作制御部材がその付勢により前記ロック位置へ移動して前記可動部材が動作し得ないようにしたことを特徴とする。
【００１１】
また、パロット機のような遊技機にあっては、遊技機本体と、前記遊技機本体の前面に開閉自在に軸着されると共に遊技球を貯留する球受皿が装着される開閉扉枠と、前記開閉扉枠に設けられ前記球受皿の遊技球を球抜きする球抜き装置と、前記遊技機本体の前面に設けられ前記球受皿から前記開閉扉枠に設けられた通口を介して供給される遊技球を取り込む球計数排出装置とを備え、前記球抜き装置は操作部材と該操作部材の作動により往復動作し得る可動部材とからなり、前記球計数排出装置に前記通口と連なる供給樋の球抜き口に配置され弾発手段により常に該球抜き口を塞ぐように付勢される球抜き板を設け、前記球抜き板は前記操作部材の作動により前記可動部材と連係すると共に移動して前記球抜き口を開放するようにした遊技機であって、前記開閉扉枠に弾発手段により常に前記可動部材の作動が不可能になるロック位置側へ付勢される操作制御部材を配置し、前記操作制御部材または遊技機本体のいずれか一方に前記開閉扉枠を閉じるとき前記操作制御部材または遊技機本体のいずれか他方に摺接して前記操作制御部材を前記可動部材の作動が可能になる解除位置へ移動させる突状部を突設し、前記開閉扉枠を開けたとき前記突状部の接触が解かれ前記操作制御部材がその付勢により前記ロック位置へ移動して前記可動部材が動作し得ないようにした構成が採られる。
【００１２】
いずれの場合も、前記操作制御部材は、弾発手段により常に前記通口を塞ぐように付勢されかつ前記開閉扉枠を開けたとき前記通口から無用に遊技球が零れるのを防ぐ閉鎖部材と兼用され、また、前記操作制御部材は前記可動部材の摺動方向に沿って対向位置し、前記可動部材の一側角部に前記操作制御部材の先端部が当接し得る衝止部を設けると共に該可動部材の摺動方向における該衝止部の内側に下方へ傾斜する傾斜縁部を成形し、前記衝止部と対向する前記操作制御部材の先端部には前記衝止部が当接し得る受止片を突設し、前記操作部材を作動させてから前記開閉扉枠を開けたとき、前記受止片が前記衝止部の内側に成形される逃し空間部に入り前記操作制御部材が前記通口を塞ぐ位置に移動することができるようにすることが好ましい。
【発明の効果】
【００１３】
本発明に係る遊技機は、開閉扉枠に該開閉扉枠を開いたとき弾発手段により常に可動部材の作動を不可能にするロック位置側へ付勢される操作制御部材を配置し、操作制御部材または遊技機本体のいずれか一方に開閉扉枠を閉じるとき操作制御部材または遊技機本体のいずれか他方に摺接して操作制御部材を可動部材の作動が可能になる解除位置へ移動させる突状部を突設してなる。これにより、開閉扉枠を開けたとき操作部材は操作制御部材により動作し得ないようにロックされることになり、この状態では可動部材と球抜き板とが互いに重なって衝突するようなことはない。よって、不具合による開閉扉枠の面倒な二度閉めが不要になり作業性の改善が図られる。また、可動部材または球抜き板が衝突の衝撃により破損するといった危険性も防ぐことができるという効果がある。
【００１４】
また、前記操作制御部材を通口から遊技球が零れるのを防ぐ閉鎖部材と兼用するようにすれば、部材が一つで済み構成が簡単になるばかりか製作も簡単になり経済的である。しかも、この際、操作部材を作動させてから開閉扉枠を開けても、受止片が可動部材の衝止部の内側に成形される逃し空間部に入り、閉鎖部材が可動部材の邪魔になることなく通口を塞ぐ位置に移動することができる。よって、通口から遊技球が無用に零れ落ちることがなく安全である。
【発明を実施するための最良の形態】
【００１５】
以下、本発明に係る遊技機の実施の形態を図面に基づき詳しく説明する。本発明は、パチンコ機、アレンジボール機、雀球機、パロット（登録商標）機等の遊技機に適用できるが、この内、本発明はパチンコ機とパロット機とに適用される場合についてそれぞれ説明する。そこで、第１実施の形態としてパチンコ機、第２実施の形態としてパロット機を示す。
【００１６】
図１は第１実施の形態に係るパチンコ機の正面図、図２は同透明板保持枠を開いたパチンコ機の斜視図である。パチンコ機Ｐは縦長長方形枠状の外枠１を有し、該外枠１の前側に一側を軸着して本体枠２が開閉自在に装着される。該本体枠２は中央に窓口３が開設されて額縁状に成形され、該窓口３に臨むようにして遊技盤４が着脱自在に配設される。また、本体枠２の前面一側に、前記遊技盤４の前面を覆う開閉扉枠としての透明板保持枠５が開閉自在に軸着される。該透明板保持枠５には前記遊技盤４の前面が臨む開口６が開設され、該開口６にガラスまたは合成樹脂製の一対の透明板からなる透明板ユニット７が装着されている。また、該透明板保持枠５の下部前面に、後記する打球発射部４７へ供給される遊技球を貯留する上部の球受皿８が装着される。なお、前記外枠１及び遊技盤４が配置された本体枠２を併せて遊技機本体Ｐ１という。
【００１７】
前記本体枠２の下部前面には、前記上部の球受皿８から溢れる遊技球を貯留する下部の球受皿９が装着される。また、その一側に灰皿１０が設けられ、他側に打球発射部４７から発射される遊技球の打球力を調整するための打球力調整ハンドル１１が装着される。
【００１８】
前記遊技盤４の前面には内側のガイドレール１２ａと外側のガイドレール１２ｂとが渦巻状に敷設され、これら内・外側のガイドレール１２ａ，１２ｂに囲まれて遊技部４ａが成形される。該遊技部４ａには、例えばその中央に各種の情報を変動表示する表示部１３ａを備えた可変表示装置１３が装着され、その下方に遊技球としての打球が入賞することにより前記可変表示装置１３の表示部１３ａの情報を変動させる始動入賞口１４が装着される。更に、その下方に前記表示部１３ａの表示が特定の情報（例えば、「７，７，７」）に揃ったとき開閉扉１５ａを開き、一定の条件の下で一度に多くの賞球が得られる大型の入賞装置１５が装着されている。
【００１９】
前記透明板保持枠５はその裏面に金属板１６が重合され、図３に示すように該金属板１６と保持枠本体５ａとの間であって該保持枠本体５ａの後側に、該保持枠本体５ａから所定の間隔離して透明なカバー板１８が固着される。保持枠本体５ａとカバー板１８との間に球抜き装置１９が設けられる。
【００２０】
前記球抜き装置１９は、上部の球受皿８の一側上面に開設された横孔２０から上方へ突出する操作部材２１及び該操作部材２１により保持枠本体５ａに沿って往復回動する第１可動部材２２ａと直線的に往復摺動する第２可動部材２２ｂからなる。
【００２１】
更に詳しく説明すると、図４、図５に示すように前記操作部材２１は、一側で横軸２３により軸支され該横軸２３を中心として上下に回動するようになっている。また、該操作部材２１の下面に作用片２４が突設される。操作部材２１の下方に第１可動部材２２ａが配置され、その下方に第２可動部材２２ｂが配置される。第１可動部材２２ａは、上部一側角部で横軸２５により軸支され、上部他側に前方へ突出し前記操作部材２１の作用片２４が上から乗り支持される支持ピン２６が突設される。また、第１可動部材２２ａにおける中間部の一側に、一端を前記カバー板１８に取着した弾発手段としての引っ張りコイルばね２７が取着され、常に一側（図４では左側）へ付勢されている。
【００２２】
第２可動部材２２ｂは正面略横長の長方形状に成形され、前面に前記第１可動部材２２ａの下端部に開設された連結孔２８に遊嵌する連結ピン２９が突設されている。そして、第２可動部材２２ｂは、第１可動部材２２ａの往復回動動作により直線的にかつほぼ水平方向に摺動するようになっている。第２可動部材２２ｂにおける連結ピン２９の位置とは反対側であってその上部角部に、後記する閉鎖部材３４の先端部に当接する衝止部３０が設けられる。第２可動部材２２ｂの摺動方向における衝止部３０の内側は、斜めに下傾した傾斜縁部３０ａが成形され、その上方であって衝止部３０の先端（上端）よりも低い部位に逃し空間部１７が成形される。この逃し空間部１７は、閉鎖部材３４の先端部の受止片３６を介入させるためのものである。また、第２可動部材２２ｂにあって連結ピン２９の位置とは反対側の下部角部に、その摺動方向へほぼ水平に突出する押動片３１が設けられ、その先端に後記する球抜き板６２に設けられた作動ピン６７が嵌る凹欠部３２が設けられている。
【００２３】
前記第１・第２可動部材２２ａ，２２ｂの近くでありかつほぼ同一平面上に位置するようにして、前記保持枠本体５ａに開設される通口３３を遊技球が通過できまたはできないように開閉する操作制御部材としての閉鎖部材３４が配置される。詳しくは、操作制御部材は閉鎖部材３４と兼用させてある。すなわち、閉鎖部材３４が前記第２可動部材２２ｂの摺動方向に沿って対向位置する。前記通口３３は、前記上部の球受皿８の球皿部８ａに貯留される遊技球を後記する打球供給装置４１へ供給するためのものである。閉鎖部材３４は、保持枠本体５ａに沿って略水平に配置され、第１・第２可動部材２２ａ，２２ｂとは反対側になる基端部を横軸３５により軸着され、該横軸３５を中心として上下に往復回動し得るようになっている。また、閉鎖部材３４の先端部に、前記第２可動部材２２ｂの衝止部３０と対向位置する下向きの受止片３６と、透明板保持枠５を閉めるとき打球供給装置４１から前方へ突出する突状部としての後記する突起６９が摺接する横向きの引上片３７とがそれぞれほぼ直交状に設けられている。また、閉鎖部材３４の中央下縁には、前記通口３３の上方に臨む停止片３８が設けられる。
【００２４】
また、前記閉鎖部材３４は、その先端側に一端を前記カバー板１８に取着した弾発手段としての引っ張りコイルばね３９が取着され、常に下方へ付勢されている。そして、透明板保持枠５を閉じたときは、図４に示すように前記突起６９が引上片３７に摺接して下方から押し上げ閉鎖部材３４を引っ張りコイルばね３９の付勢に抗して上方へ回動させ、通口３３を遊技球が通過し得るように開放する。一方、透明板保持枠５を開けたときは、図６に示すように引上片３７から突起６９が外れて閉鎖部材３４が引っ張りコイルばね３９の付勢により下方へ回動し、前記通口３３の周囲の縁枠３３ａに当接しその下方位置でほぼ水平状態を保持して停止する。このとき、第２可動部材２２ｂの衝止部３０と閉鎖部材３４の先端部の受止片３６とが向かい合って対峙し、また、前記停止片３８が通口３３内に遊技球が通過し得ないように介入する。これにより、透明板保持枠５を開けたときに上部の球受皿８に貯留される遊技球が通口３３から無用に零れ落ちるのを防止するようにしている。なお、詳しい説明は省略するが、前記金属板１６、カバー板１８には前記通口３３など所要な位置に開口が開設される。
【００２５】
図２に示すように遊技機本体Ｐ１を構成する本体枠２の下部前面に発射レールユニット４０が取着され、その前側に前記上部の球受皿８から供給される遊技球を通口３３を介して１個ずつ発射レールユニット４０へ送り出す打球供給装置４１が設けられる。図７乃至図１０に示すように発射レールユニット４０は、本体枠２前面の所定位置にビス着される金属製の支持板４２を有し、その前面上縁に軸着部４３が設けられる。また、打球供給装置４１の後側上縁に軸ピン４４が設けられ、該軸ピン４４を前記軸着部４３に挿通して取着することにより、該軸ピン４４を中心として打球供給装置４１が、発射レールユニット４０の前面に開閉自在に取着される。
【００２６】
前記支持板４２の前面一側に発射レール４５が固着される。該発射レール４５の基端部の上方に所定の距離離して球止め部材４６が配置され、該発射レール４５の基端部上に打球発射部４７が設けられる。また、支持板４２の前面他側上部に、左右に所定の距離を離して第１当てゴム４８ａと第２当てゴム４８ｂとが配置される。そして、前記球止め部材４６と第１・第２当てゴム４８ａ，４８ｂとの間に位置して、球止め部材４６により停止され打球発射部４７に位置する遊技球を打球するための打球杆４９が配置される。該打球杆４９は支持板４２に上下逆にして軸着され、その支軸４９ａが支持板４２の後面に配置されたステッピングモータ５０の駆動軸に連結される。そして、第１当てゴム４８ａと第２当てゴム４８ｂとの間で打球杆４９が往復回動して遊技球を打球するようになっている。
【００２７】
前記打球供給装置４１は合成樹脂製のケース体５１からなり、図７乃至図１０に示すように該ケース体５１の前面ほぼ中央に前記通口３３と連通する導入口５２が開設され、ケース体５１内には該導入口５２と連通する供給樋５３が成形される。そして、該供給樋５３の流下端に、両側へ突出する支軸５４，５４により軸着され前後方向へ自在に往復傾動し得る球送り部材５５が設けられる。該球送り部材５５の後面には、図１１に示すように上端部を残して窪む球受面５５ａが成形される。球送り部材５５と対応位置したケース体５１の後面には、球送り部材５５により遊技球を打球発射部４７へ送り出すための供給口５５ｂが開設される。また、球送り部材５５の一側方に、該球送り部材５５を作動させる電磁ソレノイド５６が配置される。該電磁ソレノイド５６は上下方向に配置され、その下方に該電磁ソレノイド５６の囲い枠５６ａにおける外側下端部に一側を枢着された金属製の作動板５７が配置される。該作動板５７の他側は前記枢着部を中心として上下動できるようになっており、その他側に縦長状の連係部材５８が支着される。該連係部材５８の下端部に前記球送り部材５５の一側から突出する作用ピン５９が固着される。
【００２８】
前記作動板５７の枢着部より外側に、上端を囲い枠５６ａの外側に支着した弾発手段としての引っ張りコイルばね６０が取着され、前記電磁ソレノイド５６が消磁しているとき作動板５７をその他側が常に下側へ傾動するように付勢している。また、このとき前記球送り部材５５は真直ぐに起立し、その上端面で遊技球を支持して待機させる。一方、電磁ソレノイド５６が励磁すると、前記作動板５７が該電磁ソレノイド５６に吸引されてその他側が上昇し、これに伴い連係部材５８が上動して球送り部材５５を前側へ傾動させる。これにより、前記球送り部材５５の上端面に乗っていた遊技球は後側の球受面５５ａへ落下して発射レール４５の打球発射部４７に供給される。このようにして、電磁ソレノイド５６が励・消磁を繰り返すことにより、打球供給装置４１内の遊技球が一個ずつ打球発射部４７へ送り出される。
【００２９】
前記球送り部材５５の他側方であって供給樋５３の底面に球抜き口６１が開設され、該球抜き口６１にほぼ水平方向に摺動する球抜き板６２が配置される。該球抜き板６２は正面Ｌ字型に成形され、底板部６２ａが球抜き口６１を塞ぎ、立板部６２ｂの後面にその後方へ突出する突子６３が設けられ、この突子６３に挿通され該突子６３と対向して位置する仕切壁６４及び立板部６２ｂの間に弾発手段としての圧縮スプリング６５が介装される。これにより、球抜き板６２が常に球抜き口６１を塞ぐように付勢される。また、球抜き板６２の前面には、ケース体５１の前面に開設された横長孔６６を介して前方ヘ突出する作動ピン６７が設けられる。該作動ピン６７は前記球抜き装置１９における第２可動部材２２ｂ先端の凹欠部３２に嵌ることになる。前記球抜き口６１の下方には、該球抜き口６１から落下する遊技球を下部の球受皿９に導く球排出通路６８が成形される。
【００３０】
前記ケース体５１前面上部に、前方へ突出しかつその前端縁が楔状に前方へ向かって下傾する突状部としての突起６９が設けられる。該突起６９は、前記透明板保持枠５を閉じるとき前記閉鎖部材３４の引上片３７に下側から摺接して押し上げ該引上片３７すなわち閉鎖部材３４を上方へ回動させ、通口３３を遊技球が通過できるようにするためのものである。
【００３１】
第１実施の形態に係るパチンコ機Ｐは上記構成からなり、次に作用について説明する。図１１に示すように透明板保持枠５が閉じた状態では、図４に示すように突起６９により閉鎖部材３４がその付勢に抗して上方へ回動して通口３３が開放している。すなわち、操作制御部材である閉鎖部材３４は、前記第２可動部材２２ｂの作動を可能にする解除位置に有る。そして、上部の球受皿８の球皿部８ａに貯留される遊技球は、整流されつつ図９に示すように前記通口３３、導入口５２を介して打球供給装置４１内の供給樋５３に導かれ、その最先端の遊技球が球送り部材５５の上端面に乗って待機する。
【００３２】
そこで、打球力調整ハンドル１１を回動すると、ステッピングモータ５０が駆動すると共に電磁ソレノイド５６が前記ステッピングモータ５０と同期して励・消磁を繰り返す。これにより、前記球送り部材５５が前後方向へ往復傾動動作を行い、球送り部材５５の上端面に乗る遊技球を一個ずつ打球発射部４７に供給する。打球発射部４７に供給された遊技球は、打球杆４９により打球されて遊技部４ａに打ち込まれる。
【００３３】
また、前記上部の球受皿８の球皿部８ａに貯留される遊技球を球抜きするときは、図４鎖線に示すように操作部材２１を押し下げ、第１可動部材２２ａを図４矢視方向へ回動させると共に第２可動部材２２ｂを水平方向へ摺動させる。同様に、第２可動部材２２ｂにおける押動片３１先端の凹欠部３２に作動ピン６７が嵌まり該作動ピン６７を同方向へ移動させる。これにより、図１０に示すように打球供給装置４１内の球抜き板６２が摺動して球抜き口６１を開放させる。そこで、供給樋５３内の遊技球は、球抜き口６１を介してその下方の球排出通路６８へ落下し下部の球受皿９に貯留される。
【００３４】
ところで、例えば遊技中に打球発射部４７で球詰まりなどのトラブルが発生し、そのトラブルを解消すべく図１２に示すように透明板保持枠５を開けると、図５に示すように突起６９と引上片３７との接触が解かれ、閉鎖部材３４がその付勢により下方へ回動し、停止片３８が通口３３内に介入して遊技球の通過を阻止する。これにより、上部の球受皿８に貯留される遊技球が通口３３から無用に零れることが防止される。
【００３５】
しかも、この際、図５に示すように前記閉鎖部材３４先端部の受止片３６が、第２可動部材２２ｂの一側縁上部に設けられた衝止部３０に接近して対峙する。これにより、例えば透明板保持枠５を開けた状態で、誤って球抜き装置１９の操作部材２１に触っても、前記衝止部３０が前記受止片３６に衝突して第２可動部材２２ｂが作動し得ないようになっている。すなわち、閉鎖部材３４が第２可動部材２２ｂの作動を不可能にするロック位置に移動したことになる。換言すれば、第２可動部材２２ｂの押動片３１の先端が作動ピン６７を押した位置まで進んでないことになり、この状態では第２可動部材２２ｂと球抜き板６２すなわち作動ピン６７とが互いに重なって衝突するようなことはない。よって、透明板保持枠５の不具合による面倒な二度閉めが不要になり作業性の改善が図られる。また、第２可動部材２２ｂまたは球抜き板６２が衝突の衝撃により破損するといった危険性も防ぐことができる。
【００３６】
また、操作制御部材を前記閉鎖部材３４と兼用せずに別個に成形して保持枠本体５ａに取着するようにしても良いが、このように操作制御部材を閉鎖部材３４と兼用すれば、部材が一つで済み構成が簡単になるばかりか製作も簡単になり経済的である。また、この際、操作部材２１を作動させてから透明板保持枠５を開けても、図６に示すように受止片３６が第２可動部材２２ｂの衝止部３０の内側に成形される逃し空間部１７に入り、閉鎖部材３４が第２可動部材２２ｂの邪魔になることなく通口３３を塞ぐ位置に移動する。よって、該通口３３から遊技球が無用に零れ落ちることがなく安全である。なお、前記操作部材２１を開放すると、前記第２可動部材２２ｂはその付勢により元の位置に復帰するが、この際、前記閉鎖部材３４の受止片３６は第２可動部材２２ｂの傾斜縁部３０ａに摺接しながら容易に衝止部３０を乗り越えることができ、これら部材の作動に支障の来たすおそれはない。
【００３７】
第１実施の形態に係るパチンコ機にあっては、操作制御部材も同じであるが閉鎖部材３４を前記したように回動する構成ではなく、直線的に往復摺動する構成としても良い。また、突状部として打球供給装置４１の前面に突起６９を突設するようにしたが、例えば閉鎖部材３４に後方へ突出する突起を設けるようにしても良い。この場合は、遊技機本体Ｐ１である打球供給装置４１の前面に透明板保持枠５を閉じるとき前記突起が摺接する段部を前方へ突出するように設ける。
【００３８】
更に、開閉扉枠として本体枠２前面の発射レール４５の前面まで覆う大きさの透明板保持枠５について説明したが、他に例えば透明板保持枠とその下方に位置し前記発射レール４５の前面を覆いかつ上部の球受皿８が装着される前板とを分離している場合の該前板にも第１実施の形態に係る発明は適用できる。また、打球力調整ハンドル１１までも一体に設けるようにした大型の透明板保持枠にも第１実施の形態に係る発明が適用できること勿論である。
【００３９】
次に、第２実施の形態に係るパロット機について説明する。なお、このパロット機Ｒの構成は第１実施の形態に係るパチンコ機Ｐと全体的に共通する部分が多く、このため第１実施の形態に係るパチンコ機Ｐと同一部位は、同一番号を附すことにより構成・作用について詳しい説明は省略する。このパロット機は、遊技機本体を構成する本体枠の前面に球受皿の球皿部と連通する球計数排出装置が設けられ、球受皿から供給される所定数の遊技球を１単位とする遊技球が球計数排出装置に取り込まれて計数されることにより、ゲームがスタートできるように構成されている。
【００４０】
以下に、第２実施の形態に係るパロット機Ｒについて詳しく説明する。図１３は第２実施の形態に係るパロット機の正面図である。このパロット機Ｒは縦長長方形枠状の外枠１を有し、該外枠１の前側に一側を軸着して本体枠２が開閉自在に装着され、該本体枠２に遊技盤４が着脱自在に配設される。また、本体枠２の前面一側に前記遊技盤４の前面を覆う透明板保持枠５が開閉自在に軸着され、その下方に開閉扉枠としての前板７０が同じく開閉自在に軸着されている。そして、該前板７０の前面に上部の球受皿８が装着される。前記本体枠２の下部前面には、前記上部の球受皿８から溢れ出る遊技球を貯留する下部の球受皿９が装着される。これら上部・下部の球受皿８，９は連続した一体感のあるデザインに成形されている。この場合、外枠１及び遊技盤４が配設された本体枠２を併せて遊技機本体Ｒ１という。
【００４１】
前記遊技盤４には、所定条件により変動する大型の可変表示装置７１が装着され、その一側に賭け数（有効ライン）をＬＥＤ７２ａの点灯により表示する賭け表示器７２が設けられている。この賭け数は後述する回収球によって任意に設定される。また、その周辺にはサイドランプ７３、コーナーレンズ７４などの装飾部材が設けられ、該コーナーレンズ７４には表示部７５ａ，７５ｂが設けられている。この内、一方の表示部７５ａに球払出装置（図示せず。）から払出される賞球としての遊技球の払出個数が表示され、他方の表示部７５ｂには残りゲーム数が表示される。更に、前記可変表示装置７１の上下にリーチ目及び当り図柄等の説明図が描かれている。
【００４２】
前記可変表示装置７１は、周面に「７」「ＢＡＲ」等の複数種類の図柄が描かれる３つの回転ドラム７６ａ〜７６ｃと該回転ドラム７６ａ〜７６ｃを駆動及び停止する電気的駆動源としてのステッピングモータ７７と、前記各回転ドラム７６ａ〜７６ｃの図柄の所定個数（図上３個）が臨む窓枠部材７８とを備えている。なお、前記回転ドラム７６ａ〜７６ｃに替えてベルト式としてもよく、ベルト式とすることで後方への突出量を小さくすることができる。なお、可変表示装置７１を各ドラム７６ａ〜７６ｃが回転変動するものとしたが、図柄を液晶表示またはデジタル表示により変動させる可変表示装置としてもよい。
【００４３】
前記前板７０は横長の長方形状に形成され、図１４に示すように前記球払出装置から払出された賞球としての遊技球を上部の球受皿８の球皿部８ａに導く接続樋７９が軸着部側に設けられる。また、開閉側に前板７０を本体枠２の前面に閉止状態にロックし得る係止機構８０が設けられている。一方、前記上部の球受皿８には、球払出操作部８１と、パロット機Ｒとして必要な操作部及び表示器等の機能部として所定数の遊技球を単位賭数として回収する球回収機構と、球回収されたことを条件として前記可変表示装置７１の図柄表示を変動させる始動操作部８３と、前記可変表示装置７１の変動図柄を停止させる停止操作部８４とが設けられている。前記球回収機構は、単位賭数（有効ライン）を設定する賭数設定操作部８５と、前記賭数設定操作部８５で設定された所定数の遊技球を排出する制御装置としての後記する球計数排出装置９３とで構成される。
【００４４】
前記球払出操作部８１は球払出スイッチ８７、カード返却スイッチ８８および残数表示器８９を備えている。また、球受皿８の前面には前記始動操作部としてのスタートスイッチ８３と、前記可変表示装置７１の列単位で変動する変動図柄を任意で停止させる停止操作部８４としての複数のストップスイッチ８４ａ〜８４ｃとが設けられている。そして、上面側には前記賭数設定操作部８５としての最高の賭け数（３単位）を設定するマックスベットスイッチ８５ａと、賭け数を１単位ずつ行うベットスイッチ８５ｂとが設けられている。さらに、賭け数となる遊技球を記憶させるか記憶させないかを設定する記憶操作部としてのクレジットスイッチ９０と記憶された賭け数を球数として表示する記憶表示器９１と、記憶した球数を下部の球受皿９に払い戻す払戻操作部としてのペイオフスイッチ９２が設けられている。なお、上記各操作部の配置は限定されるものではなく、任意に変更可能であり例えばスタートスイッチ８３ａ及びストップスイッチ８４ａ〜８４ｃは球受皿８の上面側に設けるようにしてもよい。
【００４５】
前記賭数設定操作部８５は、マックスベットスイッチ８５ａを操作すると横３列と斜め２列の５本の有効ラインが設定され、ベットスイッチ８５ｂを操作するごとに最高３単位を限度として賭数と共に有効ラインが１，３，５と増えて設定され、賭け表示器７２に表示される。なお、説明上賭数及び有効ライン数を設定したがこの実施の形態に限定されるものではなく、賭数の上限及び有効ライン数を増やしてもよいことはいうまでもない。
【００４６】
前記前板７０の裏面に金属板１６ａが重合され、図１５に示すように該金属板１６ａと前板本体７０ａとの間であって該前板本体７０ａの後側に、該前板本体７０ａから所定の間隔離して透明なカバー板１８が固着され、前記前板本体７０ａとカバー板１８との間に球抜き装置１９が設けられる。また、第１・第２可動部材２２ａ，２２ｂの近くでありかつほぼ同一平面上に位置するようにして、前記前板本体７０ａに開設される通口３３を遊技球が通過できまたはできないように開閉する操作制御部材としての閉鎖部材３４が配置される。
【００４７】
遊技機本体Ｒ１を構成する本体枠２の下部前面に、前記前板本体７０ａに開設された通口３３と対応位置して球計数排出装置９３がビス止めにより取着される。該球計数排出装置９３は、図１６、図１７に示すように合成樹脂製の箱枠体９４と該箱枠体９４が一体に固着される金属製の取付板９５とからなり、箱枠体９４の前面ほぼ中央に前記通口３３と連通する導入口５２が開設され、箱枠体９４内には該導入口５２と連通する供給樋５３が成形される。そして、該供給樋５３の流下端に、該供給樋５３と連通しスプロケット９７が鉛直面内で自在に回転し得る大きさのスプロケット収納室９６が形成される。
【００４８】
更に詳しくは、スプロケット９７が、前記スプロケット収納室９６内でありかつ供給樋５３の下方に位置して横軸９８を中心とし鉛直面内で回転するように配置される。すなわち、前記供給樋５３の下方を向く流下端面の真下に前記横軸９８が配置される。そして、スプロケット９７の外周縁には遊技球が入り込める大きさの半円弧状の球受凹部９９が複数個（この場合、６個）等間隔に列設されている。スプロケット収納室９６の一側下部には球排出口１００が開設されている。前記供給樋５３内には、丁度賭数の１単位である数の遊技球（例えば、５個）が並ぶようになっており、供給樋５３における導入口５２側と流下端側にその最先端の遊技球と５個目の遊技球をそれぞれ検出する２組の球検出センサー１０１ａ，１０１ｂが設けられ、これら各球検出センサー１０１ａ，１０１ｂが共に遊技球を検出していることを条件に前記マックスベットスイッチ８５ａ及びベットスイッチ８５ｂが働くようになっている。
【００４９】
前記取付板９５の裏面にはステッピングモータ１０２が取着され、前記スプロケット９７の横軸９８とステッピングモータ１０２の駆動軸１０３とが連結されている。一方、前記供給樋５３の流下端の手前の底面に球抜き口６１が開設され、該球抜き口６１にほぼ水平方向に摺動する球抜き板６２が配置される。該球抜き板６２は正面Ｌ字型に成形され、底板部６２ａが球抜き口６１を塞ぎ、立板部６２ｂの後面にその後方へ突出する突子６３が設けられ、この突子６３に挿通され該突子６３と対向して位置する仕切壁６４及び立板部６２ｂの間に弾発手段としての圧縮スプリング６５が介装される。これにより、球抜き板６２が常に球抜き口６１を塞ぐように付勢される。
【００５０】
また、球抜き板６２の前面には、箱枠体９４の前面に開設された横長孔６６を介して前方ヘ突出する作動ピン６７が設けられる。該作動ピン６７は前記球抜き装置１９における第２可動部材２２ｂ先端の凹欠部３２に嵌ることになる。前記球抜き口６１の下方には球排出通路６８が成形され、該球抜き口６１から落下する遊技球は該球排出通路６８の流下端に設けられた球通口６８ａを介して下部の球受皿９に導かれる。前記箱枠体９４前面上部に、前方へ突出しかつその前端縁が楔状に前方へ向かって下傾する突状部としての突起６９が設けられる。該突起６９は、前記透明板保持枠５を閉じるとき前記閉鎖部材３４の引上片３７に下側から摺接して押し上げ該引上片３７すなわち閉鎖部材３４を上方へ回動させ、通口３３を遊技球が通過できるようにするためのものである。
【００５１】
第２実施の形態に係るパロット機Ｒは上記構成からなり、次に作用を説明する。図２０に示すように透明板保持枠５と共に前板７０が閉じた状態では、図４と同様に突起６９により閉鎖部材３４がその付勢に抗して上方へ回動して通口３３が開放している。すなわち、操作制御部材である閉鎖部材３４は、前記第２可動部材２２ｂの作動を可能にする解除位置に有る。そして、上部の球受皿８の球皿部８ａに貯留される遊技球は、整流されつつ図１８に示すように前記通口３３、導入口５２を介して球計数排出装置９３内の供給樋５３内に導かれ、その最先端の遊技球がスプロケット収納室９６内のスプロケット９７の外周縁に乗って待機する。
【００５２】
そこで、賭け数に応じてマックスベットスイッチ８５ａまたはベットスイッチ８５ｂを押圧すると、その賭け数に応じて前記スプロケット９７が作動して賭け数に応じた遊技球を球受皿８の球皿部８ａから回収し、賭け表示器７２に賭け数を表示する。そして、賭け数に応じてマックスベットスイッチ８５ａまたはベットスイッチ８５ｂを押圧すると、その賭け数に応じて前記記憶表示器９１からその賭け数分の球数を減算表示すると共に賭け表示器７２のＬＥＤ７２ａが点灯して有効ラインを示して遊技可能な状態となる。
【００５３】
次に、単位賭数の遊技球が両球検出センサ１０１ａ，１０１ｂで確認されて、所定個数が回収されたことを条件としてスタートスイッチ８３を操作すると、前記可変表示装置７１の各ドラム７６ａ〜７６ｃが回転して図柄が変動し、遊技者がストップスイッチ８４ａ〜８４ｃを任意で押圧して各ドラム７６ａ〜７６ｃを停止させる。このときの賭け数に応じた有効ラインの停止図柄が所定の組合せ図柄の場合に、球払出装置から所定の賞球としての遊技球が払出されると共に表示部７５ａに払出個数が表示される。さらに、「７，７，７」等の特定の組合せ図柄の場合には所定ゲーム数連続して賞球が払出される大当りとなり、表示部７５ｂに残ゲーム数が表示される。そして、クレジットスイッチ９０の押圧状態で、多量の賞球が払出されると最高２５０個（賭け数５０単位分）が自動的に回収され、記憶部に記憶されて記憶表示器９１に表示され、残りの賞球は上部の球受皿８及び下部の球受皿９に貯留される。以後同様の操作でゲームが続けられる。
【００５４】
ところで、例えば前記球計数排出装置９３内で球詰まりなどのトラブルが発生し、そのトラブルを解消すべく図２１に示すように前板７０を開けると、図５と同様に突起６９と引上片３７との接触が解かれ、閉鎖部材３４がその付勢により下方へ回動し、停止片３８が通口３３内に介入して遊技球の通過を阻止する。これにより、上部の球受皿８に貯留される遊技球の通口３３から無用に零れることが防止される。
【００５５】
しかも、この際、図５と同様に前記閉鎖部材３４先端の受止片３６が、第２可動部材２２ｂの一側縁上部に設けられた衝止部３０に接近して対峙している。これにより、例えば前板７０を開いた状態で、誤って球抜き装置１９の操作部材２１に触っても、前記衝止部３０が前記受止片３６に衝突して第２可動部材２２ｂが作動し得ないようになっている。すなわち、閉鎖部材３４が第２可動部材２２ｂの作動を不可能にするロック位置に移動したことになる。換言すれば、第２可動部材２２ｂの押動片３１が作動ピン６７を押した位置まで進んでないことになり、この状態では第２可動部材２２ｂと球抜き板６２すなわち作動ピン６７とが互いに重なって衝突するようなことはない。よって、透明板保持枠５の不具合による面倒な二度閉めが不要になり作業性の改善が図られる。また、第２可動部材２２ｂまたは球抜き板６２が衝突の衝撃により破損するといった危険性も防ぐことができる。
【００５６】
第２実施の形態に係るパロット機にあっても、操作制御部材を前記閉鎖部材３４と兼用せずに別個に成形して前板本体７０ａに取着するようにしても良いが、このように操作制御部材を閉鎖部材３４と兼用すれば、部材が一つで済み構成が簡単になるばかりか製作も簡単になり経済的である。また、この際、操作部材２１を作動させてから開閉扉枠である前板７０を開けても、図６と同様に受止片３６が第２可動部材２２ｂの衝止部３０の内側に成形される逃し空間部１７に入り、閉鎖部材３４が第２可動部材２２ｂの邪魔になることなく通口３３を塞ぐ位置に移動する。よって、該通口３３から遊技球が無用に零れ落ちることがなく安全である。
【００５７】
また、操作制御部材も同じであるが閉鎖部材３４を回動する構成ではなく、直線的に往復摺動する構成としても良い。また、突状部として打球供給装置４１の前面に突起６９を突設するようにしたが、例えば閉鎖部材３４に後方へ突出する突起を設けるようにしても良い。この場合は、遊技機本体Ｐ１である打球供給装置４１の前面に透明板保持枠５を閉じるとき前記突起が摺接する段部を前方へ突出するように設ける。
【００５８】
更に、第２実施の形態に係るパロット機においては、開閉扉枠として前板７０について説明したが、他に例えば前記前板７０が一体に成形された透明板保持枠にも第２実施の形態に係る発明が適用でき、下部の球受皿も一体に設けられるような大型の透明板保持枠にも第２実施の形態に係る発明が適用できる。また、前板７０の前面に球受皿８を装着する構成を説明したが、球受皿８が前板７０の前面にその前面全体を覆うようにして装着される構成についても第２実施の形態に係る発明は適用できることは勿論である。
【図面の簡単な説明】
【００５９】
【図１】第１実施の形態に係るパチンコ機の正面図。
【図２】同透明板保持枠を開いたパチンコ機の斜視図。
【図３】球抜き装置部位の後から見た斜視図。
【図４】同作用を示す裏面図。
【図５】同作用を示す裏面図。
【図６】同作用を示す裏面図。
【図７】発射レールユニットに取着した打球供給装置の斜視図。
【図８】同分解斜視図。
【図９】同正面断面図。
【図１０】同作用を示す正面断面図。
【図１１】透明板保持枠を閉じた状態のパチンコ機の一部の側面断面図。
【図１２】透明板保持枠を開いた状態のパチンコ機の一部の側面断面図。
【図１３】第２実施の形態に係るスロット機の正面図。
【図１４】前板の裏から見た斜視図。
【図１５】球抜き装置部位の作用を示す裏面図。
【図１６】球計数排出装置の斜視図。
【図１７】同分解斜視図。
【図１８】同正面断面図。
【図１９】同作用を示す正面断面図。
【図２０】透明板保持枠及び前板を閉じた状態のパロット機の一部の側面断面図。
【図２１】透明板保持枠及び前板を開いた状態のパロット機の一部の側面断面図。
【符号の説明】
【００６０】
５                  開閉扉枠（透明板保持枠）
８                  上部の球受皿
１７                逃し空間部
１９                球抜き装置
２１                操作部材
２２ａ              第１可動部材
２２ｂ              第２可動部材
３０                衝止部
３０ａ              傾斜縁部
３３                通口
３４                操作制御部材（閉鎖部材）
３６                受止片
３９                弾発手段（引っ張りコイルばね）
４１                打球供給装置
４７                打球発射部
５３                供給樋
５５                球送り部材
６１                球抜き口
６２                球抜き板
６５                弾発手段（圧縮スプリング）
６９                突状部（突起）
７０                開閉扉枠（前板）
９０                球計数排出装置
Ｐ                  遊技機（パチンコ機）
Ｐ１                遊技機本体
Ｒ                  遊技機（パロット機）
Ｒ１                遊技機本体
【図１】
2008006106.tif 000003
【図２】
2008006106.tif 000004
【図３】
2008006106.tif 000005
【図４】
2008006106.tif 000006
【図５】
2008006106.tif 000007
【図６】
2008006106.tif 000008
【図７】
2008006106.tif 000009
【図８】
2008006106.tif 000010
【図９】
2008006106.tif 000011
【図１０】
2008006106.tif 000012
【図１１】
2008006106.tif 000013
【図１２】
2008006106.tif 000014
【図１３】
2008006106.tif 000015
【図１４】
2008006106.tif 000016
【図１５】
2008006106.tif 000017
【図１６】
2008006106.tif 000018
【図１７】
2008006106.tif 000019
【図１８】
2008006106.tif 000020
【図１９】
2008006106.tif 000021
【図２０】
2008006106.tif 000022
【図２１】
2008006106.tif 000023